(57)【要約】      （修正有）【課題】電子レンジで、食材の加熱を行うために用いられる食材用容器において、食卓に置いても違和感なく使用でき、かつ、製造コストを抑えることの可能な、より加熱効率及び安全性の高い食材用容器を開発する。【解決手段】容器本体０１０１の周縁部に、水蒸気を蓋０１０２との間から外部に逃がすための凹部０１０３、及び、加熱後に容器本体から蓋を取り外す際に利用可能なつまみ０１０４を有し、前記凹部とつまみとは、周縁部での配置関係が、凹部からの蒸気がつまみを持つ指に直接的に吹きつけない関係となる異なる位置に設けられていることを特徴とする食材用容器。【選択図】図１
2012075722.tif 000002
【特許請求の範囲】
【請求項１】
電子レンジにそのまま入れて食材とともに加熱可能な容器本体と、
容器本体にかぶせて盛り付けられる食材を覆うことで、加熱される前記食材から発生する水蒸気を盛り付けられる食材の周囲に充満させるための蓋と、
を有する食材用容器であって、
容器本体の周縁部に、
前記水蒸気を蓋との間から外部に逃がすための凹部、及び、
加熱後に容器本体から蓋を取り外す際に利用可能なつまみを有し、
前記凹部とつまみとは、周縁部での配置関係が、凹部からの蒸気がつまみを持つ指に直接的に吹きつけない関係となる異なる位置に設けられている
ことを特徴とする食材用容器。
【請求項２】
容器本体の底部は、
中央部が容器内部側に凸状に、かつ容器外側で凹状に形成され、
かつ、
底部中心付近から放射状にリブが形成されている、
請求項１に記載の食材用容器。
【請求項３】
容器本体の周縁部は、偶数個の辺を有する多角形状であり、
各辺に１つおきに前記凹部が、
前記凹部の設けられていない辺の１つ以上に、前記つまみが、設けられており、
かつ、
容器本体の食品を収容する収容部の平面形状はほぼ円形状である、
請求項１又は２に記載の食材用容器。
【請求項４】
前記リブは、容器内側に凸条に配置され、かつ二本のリブによって挟まれる底面領域が短冊状である請求項２又は請求項２に従属する請求項３に記載の食材用容器。
【発明の詳細な説明】
【技術分野】
【０００１】
本発明は、電子レンジで利用可能な食材用容器に関するものである。
【背景技術】
【０００２】
電子レンジで、食材の加熱を行うために用いられる食材用容器では、食材から発生する水蒸気を外部に逃がすための構造を設ける必要がある。
【０００３】
食材から発生する水蒸気を外部に逃がすための構造としては、蓋の上部に切り込みを入れる構成が一般に行われている。あるいは、加熱された水蒸気により持ち上がった蓋との間から水蒸気を外部排出する構造をとるものもある（特許文献１）。
【先行技術文献】
【特許文献】
【０００４】
【特許文献１】特開２００１−０８０６８２
【発明の概要】
【発明が解決しようとする課題】
【０００５】
しかしながら、蓋の上部に切り込みを設ける場合は、見た目が美しくなく、かつ、切込みを設けるための工程が必要となるので、製造コストが高くなる。さらには、切込みから切りくずなどの異物が容器内部に混入するおそれがある。
【０００６】
また、容器本体の周囲に穴を設ける場合、容器のままこの容器に収容された食材を食べる場合、食卓に置いた際に違和感がある。さらに、この場合にも本体の周囲に穴を設ける工程が必要となる。
【０００７】
さらに、加熱された水蒸気により持ち上がった蓋との間から水蒸気を外部に排出する構造をとる場合には、蓋の過度な持ち上がりを防ぐための構造など、複雑な構造をとる必要がある。このため、食卓に置くには違和感があるとともに、製造コストが高くなる。
【０００８】
また、蒸気孔を設ける位置によっては、十分に蒸気が内部に充満せず、加熱効率が悪い場合や、蓋を開ける際に容器内部から押し出された熱い蒸気が手などに触れる場合があった。
【０００９】
そこで、本願出願人は、食卓に置いても違和感なく使用でき、かつ、製造コストを抑えることの可能な、より加熱効率及び安全性の高い食材用容器の開発を目的とした。
【課題を解決するための手段】
【００１０】
上記の課題を解決するため、本出願人は、以下の発明を提案する。
【００１１】
第一の発明として、電子レンジにそのまま入れて食材とともに加熱可能な容器本体と、容器本体にかぶせて盛り付けられる食材を覆うことで、加熱される前記食材から発生する水蒸気を盛り付けられる食材の周囲に充満させるための蓋と、を有する食材用容器であって、容器本体の周縁部に、前記水蒸気を蓋との間から外部に逃がすための凹部、及び、加熱後に容器本体から蓋を取り外す際に利用可能なつまみを有し、前記凹部とつまみとは、周縁部での配置関係が、凹部からの蒸気がつまみを持つ指に直接的に吹きつけない関係となる異なる位置に設けられていることを特徴とする食材用容器を提案する。
【００１２】
第二の発明として、容器本体の底部は、中央部が容器内部側に凸状に、かつ容器外側で凹状に形成され、かつ、底部中心付近から放射状にリブが形成されている、
第一の発明に記載の食材用容器を提案する。
【００１３】
第三の発明として、容器本体の周縁部は、偶数個の辺を有する多角形状であり、
各辺に１つおきに前記凹部が、前記凹部の設けられていない辺の１つ以上に、前記つまみが、設けられており、かつ、容器本体の食品を収容する収容部の平面形状はほぼ円形状である、第一の発明又は第二の発明に記載の食材用容器を提案する。
【００１４】
第四の発明として、前記リブは、容器内側に凸条に配置され、かつ二本のリブによって挟まれる底面領域が短冊状である第二の発明又は第二の発明に従属する第三の発明に記載の食材用容器を提案する。
【発明の効果】
【００１５】
本発明の食材用容器により、食卓に置いても違和感なく使用でき、かつ、製造コストを抑えることの可能な、より加熱効率及び安全性の高い食材用容器が提供できる。
【図面の簡単な説明】
【００１６】
【図１】実施形態１の食材用容器の概念斜視図
【図２Ａ】水蒸気が外部に逃がされる様子を説明するための図
【図２Ｂ】水蒸気が外部に逃がされる様子を説明するための図
【図３】容器本体から蓋をはずす時の様子を説明するための図
【図４】実施形態２の食材用容器の概念図
【図５】実施例の食材用容器の水の加熱実験の結果を表すグラフ
【図６】氷の解凍実験の加熱後の氷の状態を撮影した写真
【発明を実施するための形態】
【００１７】
以下本発明を実施するための形態について、図面を用いて説明する。なお、本発明はこれらの実施形態になんら限定されるべきものではなく、その要旨を逸脱しない範囲において種々なる態様で実施し得る。
【００１８】
実施形態１は、主に、請求項１などについて説明する。実施形態２は、主に、請求項２などについて説明する。実施形態３は、主に、請求項３などについて説明する。実施形態４は、主に、請求項４などについて説明する。
<<実施形態１>>
<実施形態１：概要>
【００１９】
本実施形態の食材用容器は、容器本体周縁部に、凹部とつまみを有し、この凹部とつまみとの周縁部での配置関係が、凹部からの蒸気がつまみを持つ指に直接的に吹きつけない関係となる異なる位置に設けられている点に特徴がある。
<実施形態１：全体の構成>
【００２０】
本実施形態の食材用容器は、容器本体と、蓋と、を有する。
<実施形態１：各部の構成>
<容器本体の構成>
【００２１】
図１は、本実施形態の食材用容器の概念斜視図の一例である。ただし、容器本体の周縁部が多角形状であること、食品を収容する収容部の平面形状はほぼ円形状であること、及び底の形状は、本実施形態に必須の構成ではない。
【００２２】
「容器本体」（０１０１）は、電子レンジにそのまま入れて食材とともに加熱可能である。食材を収容して冷凍する時にも同一の容器本体を利用する場合には、例えば、ポリプロピレン、シリコンゴム等の材料を用いれば良いが、耐冷温度、耐熱温度が十分な幅を有していれば、これに限定されない。この場合は、食材をメーカーで冷凍し、冷凍食品として販売し、利用者が、冷凍食品を解凍して食べるまで、同一の容器を利用することができるので、利用者が別途皿などを用意する必要がなく、簡単に食事を用意することができる。
【００２３】
本実施形態の食材用容器は、容器本体の周縁部に、凹部、及び、つまみを有する。
<凹部>
【００２４】
「凹部」（０１０３）は、容器本体の周縁部に設けられており、後述する蓋とこの凹部との間に生じる隙間から、電子レンジで加熱した際に食材から発生する水蒸気を外部に逃がす機能を有する。
【００２５】
図２Ａは、水蒸気が外部に逃がされる様子を説明するための図である。なお、（ａ）は、容器本体の部分斜視図を、（ｂ）は、容器本体のＡ−Ａ部分断面図と蓋の部分断面図とを示すものである。なお、水蒸気を太線矢印で示している。
【００２６】
この図のように、容器本体（０２０１）の周縁部に設けられた凹部（０２０３）と蓋（０２０２）との間に生じる隙間から太線矢印で示された水蒸気が外部に逃がされることとなる。なお、点線で示されたのは、凹部以外の部分の断面図であり、この部分で蓋が支えられるので、凹部との間に隙間を生じることとなる。
【００２７】
一般的な容器では、蓋の上部に切り込み等を設けることで、蒸気を上に逃がす場合が多い。しかし、本実施形態の食材用容器では、太線矢印で示された水蒸気は、凹部の上側から流入し、下側から外部に逃がされることとなる。水蒸気は容器内部を上昇するので、下側から外部に逃がされる構造とすることで、容器内部に水蒸気を充満させ、加熱効率を高めることができる。
【００２８】
また、蓋の上部に切り込みを設けた場合には、容器の見た目が悪くなるとともに、切込みを設けるための工程が必要となるため、製造コストも増すこととなる。この点、本実施形態の食材用容器によれば、見た目も美しく、切込みを設けるための工程も不要となるので、製造コストを抑えることができる。
【００２９】
さらに、蒸気が下側から外部に逃がされるので、加熱により食材から発生した熱い水蒸気が、上部からそのまま排出される構成に比べて、蒸気が容器内部に充満しやすい。このため、蒸気によっても食材が加熱されやすく、加熱効率を高めることができる。
【００３０】
また、図２Ｂは、水蒸気が外部に逃がされる様子を説明するための図である。（ｃ）は、部分平面図、（ｄ）は、正面図である。なお、水蒸気を太線矢印で示している。
【００３１】
凹部の形状は、この図のように、２つの弧状の凹部を滑らかにつないだ形状としても良い。すなわち、部分平面図（ｃ）に示される容器側面の凹部と、正面図（ｄ）に示される容器上面の凹部とを滑らかにつないだ形状とするといった具合である。この場合は、見た目が美しく、食卓に載せても違和感がないので、解凍された食材を利用者が食べる際に別途皿などを用意する必要がなく、簡単に食事を用意することができる。
【００３２】
なお、凹部の形状は、これに限定されず、例えば、コの字型であってもよい。
<つまみ>
【００３３】
ここで再び図１を参照する。
【００３４】
「つまみ」（０１０４）は、加熱後に容器本体から蓋を取り外す際に利用可能である。この図のように舌片状の部材としても良い。容器本体に後から取り付けても良いが、一体成形すれば、製造も容易でコストを下げることができる。
【００３５】
なお、つまみの個数及び配置は特に限定されず、一個でも複数でも良く、かつ、複数の場合には向かい合う位置に設けられていても、そうでなくても良いが、特に好ましくは一個である。
【００３６】
つまみが複数個設けられている場合、利用者は、つまみの部分をそれぞれ指でつまみ、容器を持ち上げようとする場合があると想定される。この場合、複数個のつまみが向かい合う位置に設けられていない場合には、容器のバランスが崩れて、落下するおそれがある。一方、複数個のつまみが向かい合う位置に設けられている場合であっても、特に、つまみ部分の面積が小さい場合には、手が滑ったり、つまみ部分が曲がったりして、やはり容器のバランスが崩れて落下するおそれがある。
【００３７】
したがって、少なくとも片手側は容器をしっかりと保持することができるよう、つまみではなく、容器本体の周縁部を持つことが望ましいので、つまみの個数は一個が好ましい。<凹部とつまみとの周縁部での配置関係>
【００３８】
凹部とつまみとは、周縁部での配置関係が、凹部からの蒸気がつまみを持つ指に直接的に吹きつけない関係となる異なる位置に設けられている。
【００３９】
図３は、加熱後に、容器本体から蓋をはずす時の様子を説明するための図である。
【００４０】
この図のように、容器本体（０３０１）の周縁部に設けられたつまみ（０３０４）と、凹部（０３０３）とが十分に離れているので、蓋（０３０２）をブロック矢印方向に向かって開ける際に、蓋に力が加わって、凹部から太線矢印で示した蒸気（０３０５）が外部に吹き出した場合にも、手にこの熱い蒸気が吹きつけることがない。
<その他の構成>
【００４１】
水蒸気を外部に逃がすためのその他の構成として、容器周縁部に凹部を設ける代わりに、蓋に凸部を設けることとすることもできる。すなわち、蓋の周縁部に設けられた凸部と容器本体の周縁部との隙間から水蒸気が排出される構成である。しかし、この場合には、蓋の凸部と容器本体のつまみとの周縁部での配置関係が、蓋をかぶせる者によって異なることとなるので、蒸気がつまみを持つ指に直接的に吹きつけない関係となるとの本実施形態の食材用容器の構成が実現できない。
【００４２】
この点については、つまみを蓋に設けることで、蓋の周縁部での凸部とつまみとの配置関係を固定することができる。しかし、この場合には、利用者が、容器を持ち運ぶ際に、つまみをつかんだ場合、蓋がはずれて容器本体が落下するなどの危険がある。
【００４３】
以上のとおり、本実施形態の食材用容器では、つまみ付近及びつまみと向かい合う容器周縁部を両手で持って持ち運ぶ際に、落下の危険が小さく安全である。なお、本実施形態に必須の構成ではないが、容器を台に置いた際に容器の周縁部と台との間に指が入る程度の隙間を設けていれば、容器内部の食材が熱くなっている場合にも容器を持ち上げるのが容易であるから、落下の危険をより小さくすることができて好ましい。
<蓋の構成>
【００４４】
再び図1を参照する。
【００４５】
蓋（０１０２）は、容器本体にかぶせて盛り付けられる食材を覆うことで、加熱される前記食材から発生する水蒸気を盛り付けられる食材の周囲に充満させる機能を有する。
容器本体と同様に、電子レンジにそのまま入れて食材とともに加熱可能である。冷凍する時にも同一の蓋を利用する場合には、例えば、ポリプロピレン、シリコンゴム等の材料を用いれば良いが、耐冷温度、耐熱温度が十分な幅を有していれば、これに限定されない。この場合は、食材をメーカーで冷凍し、冷凍食品として販売し、利用者が、冷凍食品を解凍するまで、同一の蓋を利用することができ、別途包装を行ったり、ラップをかけたりする必要がないので、簡単に食事を用意することができる。
<実施形態１：効果>
【００４６】
本実施形態の食材用容器により、食卓に置いても違和感なく使用でき、かつ、製造コストを抑えることの可能な、より加熱効率及び安全性の高い食材用容器が提供できる。
<<実施形態２>>
<実施形態２：概要>
【００４７】
本実施形態の食材用容器は、実施形態１を基本としつつ、さらに、底部の構成に特徴を有する。
<実施形態２：全体の構成>
【００４８】
本実施形態の食材用容器は、容器本体と、蓋と、を有し、容器本体の周縁部に、凹部、及び、つまみを有する。
【００４９】
容器本体、蓋、凹部、つまみについては、実施形態１で述べたところと同様であるので、説明を省略する。
<実施形態２：各部の構成>
<容器本体底部の中央部>
【００５０】
図４は、本実施形態の食材用容器の概念図の一例であり、（ｂ）は、Ｂ−Ｂ断面図である。
【００５１】
この図のように、本実施形態の食材用容器は、容器本体（０４０１）の底部は、中央部が容器内部側に凸状に、かつ容器外側で凹状に形成されている。
【００５２】
中央部が容器内部側に凸状に形成されているので、本実施形態の食材用容器に盛り付けられた食材は、中央部の厚みが薄くなる。電子レンジは、食材の周辺から温まりやすい特性を有しており、周辺が食べるのに適した温度になっていても、中央部は解凍されていない状態となることがあるが、本実施形態の食材用容器は、中央部の厚みが薄いので解凍・加熱が早く、加熱ムラを防ぐことができる。
【００５３】
また、容器本体は、製造コストを抑えるために、略均一な薄さで形成することが好ましい。そこで、中央部が容器外側で凹状に形成されることが好ましい。
<リブ>
【００５４】
図４（ａ）は、本実施形態の食材用容器の平面図の一例である。ただし、容器本体周縁部が多角形状であること、並びに、凹部の個数及び配置は、本実施形態に必須の構成ではない。また、二本のリブによって挟まれる底面領域が短冊状であることも本実施形態に必須の構成ではない。
【００５５】
この図のように、本実施形態の食材用容器は、底部中心付近から放射状にリブ（０４０２）が形成されている。なお、複数のリブの内、一つのみを示している。
【００５６】
前述のとおり、容器本体は略均一な薄さで形成することが好ましいが、この場合、食材を盛り付けると、その重みで、容器本体の凸形状を保つことができない場合がある。リブを設けることで、強度を増すことができるので、容器本体を薄く形成することができ、製造コストを抑えることができる。
【００５７】
リブの形状は、特に限定されず、この図のように、中心付近で交わるＶ字型に形成されている場合だけでなく、例えばＩ字型のリブを並べていても良い。ただし、この図のように、Ｖ字型の頂点のリブ同士の交点を、やや太くすることで、本実施形態の食材用容器から直接食材を食べる場合に、スプーンなどがリブに引っかかったり、食材が隙間に挟まったりして食べ難いといった状態が生じることを防止できる。
【００５８】
また、リブの断面形状も、特に限定されず、四角系、半円形、三角形など種々の形態をとり得る。また、容器内側に向かって凸状である場合であっても、容器外側に向かって凸状である場合であっても良い。ただし、容器内側に向かって凸状とする場合は、ほぼ半円形状とすることが、スプーンなどがリブに引っかかるおそれを減少させられるので、好ましい。
<実施形態２：効果>
【００５９】
本実施形態の食材用容器により、さらに、加熱ムラを減少させて加熱時間を短縮することができる。
<<実施形態３>>
<実施形態３：概要>
【００６０】
本実施形態の食材用容器は、実施形態１又は２を基本としつつ、容器本体の周縁部は、偶数個の辺を有する多角形状であること、各辺に１つおきに前記凹部が、前記凹部の設けられていない辺の１つ以上に、前記つまみが、設けられていること、容器本体の食品を収容する収容部の平面形状はほぼ円形状である点に特徴を有する。
<実施形態３：全体の構成>
【００６１】
本実施形態の食材用容器は、容器本体と、蓋と、を有し、容器本体の周縁部に、凹部、及び、つまみを有する。
【００６２】
容器本体、蓋、凹部、つまみ、容器本体底部の中央部及びリブについては、実施形態１又は２で述べたところと同様であるので、説明を省略する。
<実施形態３：各部の構成>  
<容器本体の周縁部>
【００６３】
再び図４を参照する。
【００６４】
本実施形態の容器本体の周縁部は、偶数個の辺を有する多角形状であり、各辺に１つおきに前記凹部（０４０３）が、前記凹部の設けられていない辺の１つ以上に、前記つまみ（０４０４）が、設けられている。
【００６５】
偶数個の辺を有する多角形状は、例えば、四角形、六角形、八角形、十角形等の形状である。周縁部が、多角形状である場合、円形である場合に比べて、複数個の容器を横に並べる場合に、無駄になるスペースが少なくなるので、輸送や、保管の際に必要となるスペースが小さくてすむ。したがって、輸送コスト、保管コストを減少させることができる。四角形の場合は、角の部分が大きくて邪魔になる。一方二十角形など辺の数の多い多角形の場合には、円形にした場合との差があまり生じない。辺の数が奇数個の場合には、本実施形態の容器本体を持ち上げる場合に、対辺を持つことができず、持ち難い。以上の点から、一番好ましくは八角形である。
【００６６】
各辺に１つおきに前記凹部が、前記凹部の設けられていない辺の１つ以上に、前記つまみが、設けられることにより、凹部とつまみとは、周縁部での配置関係が、凹部からの蒸気がつまみを持つ指に直接的に吹きつけない関係とすることができる。
<収容部>
【００６７】
収容部（０４０５）は、容器本体の食品を収容する部分であり、収容部の平面形状はほぼ円形状である。容器の平面全体に占める収容部の領域が大きいほうが、効率的に収容できるので、無駄となるスペースが小さくなる。また、本件食材用容器から直接食べる場合に、円形の方が、スプーンなどが引っかかることがなくて、食べやすい。
<実施形態３：効果>
【００６８】
本実施形態の食材用容器により、持ち運びしやすいので落下の危険が少なく安全で、かつ、輸送コストや保管コストの安い食材用容器を提供することができる。
<<実施形態４>>
<実施形態４：概要>
【００６９】
本実施形態の食材用容器は、実施形態２又は実施形態２に従属する実施形態３を基本としつつ、リブの配置に特徴を有する。
<実施形態４：全体の構成>  
【００７０】
本実施形態の食材用容器は、容器本体と、蓋と、を有し、容器本体の周縁部に、凹部、及び、つまみを有する。
【００７１】
容器本体、蓋、凹部、つまみ、容器本体底部の中央部及びリブについては、実施形態１から３で述べたところと同様であるので、説明を省略する。
<実施形態４：各部の構成>
<二本のリブによって挟まれる底面領域>
【００７２】
リブは、容器内側に凸条に配置され、かつ二本のリブによって挟まれる底面領域が短冊状である。二本のリブによって挟まれる底面領域は、具体的には、図４（ａ）における斜線の部分である。なお、複数ある領域のうちの一つのみ斜線で示している。
【００７３】
再び図４を参照する。図４（ｃ）は、二本のリブによって挟まれる底面領域の短冊状の部分付近の部分断面図である。
【００７４】
この図のように、リブは、容器内側に凸条に配置されている。この場合、本実施形態の食材用容器に収容した冷凍食材を電子レンジで解凍する場合、二本のリブによってはさまれる底面領域部分（図４（ｃ）において点線で囲まれた部分）の食材は、周りの凍った食材によって冷却される面積が相対的に小さいこと、電磁波に触れる面積が大きいことから、先に解凍される。電子レンジで用いられる電磁波は、水の固有振動に適合する周波数とされているので、氷の状態から水の状態になると、効率よく加熱することが可能となる。
【００７５】
したがって、本実施形態の食材用容器では、加熱時間を短縮することができる。
<実施形態４：効果>
【００７６】
本実施形態の食材用容器により、さらに、加熱効率を高めて加熱時間を短縮することができる。
<<実施例>>
【００７７】
実施形態４の食材用容器について、解凍実験を行った結果は次のとおりである。なお、本発明はこれらの実施例になんら限定されるべきものではなく、その要旨を逸脱しない範囲において種々なる態様で実施し得る。
<実験１：水の加熱実験>
【００７８】
２７．８℃の水を、対照となる容器（容器A）及び、本実施例の容器（容器B）に入れて、５００ワットの電子レンジで加熱した。
【００７９】
図５は、水の加熱実験の結果を表すグラフである。
【００８０】
この図のように、水１００ｃｃの場合、加熱時間1分では、本実施例の容器（容器B）のほうが加熱温度が高くなった。一方、加熱時間１分３０秒では、両容器とも９０℃に達した。
【００８１】
また、水１５０ｃｃの場合、加熱時間1分では、本実施例の容器（容器B）の方が8℃程度加熱温度が高くなった。加熱時間1分30秒後では、本実施例の容器（容器B）の方が8℃程度加熱温度が高くなった。
【００８２】
以上のとおり、本実施例の食材用容器により、加熱効率を高めて、加熱時間を短縮することができる。
<実験２：氷の解凍実験>
【００８３】
水を冷凍庫で９時間凍結した後、電子レンジで１分３０秒加熱し、加熱後に発生した水分量を測定した。
【００８４】
図６は、氷の解凍実験の加熱後の氷の状態を撮影した写真である。
【００８５】
すると、対照となる容器（容器A）では、この図の（ａ）のとおり、全体的に少しずつ解凍し、発生した水分量は２１ｃｃであった。
【００８６】
一方、本実施例の容器（容器B）では、この図の（ｂ）のとおり、中央部分が解凍して穴が開き、発生した水分量は５２ｃｃとなった。
【００８７】
以上のとおり、本実施例の食材用容器により、解凍時間を短縮することができる。  
【符号の説明】
【００８８】
容器本体  ０１０１、０２０１、０３０１、０４０１
蓋  ０１０２、０２０２、０３０２
凹部  ０１０３、０２０３、０３０３、０４０３
つまみ  ０１０４、０３０４、０４０４
蒸気  ０３０５
リブ  ０４０２
収容部  ０４０５
【図１】
2012075722.tif 000003
【図２Ａ】
2012075722.tif 000004
【図２Ｂ】
2012075722.tif 000005
【図３】
2012075722.tif 000006
【図４】
2012075722.tif 000007
【図５】
2012075722.tif 000008
【図６】
2012075722.tif 000009